(57)【要約】【課題】主に、位置検知スイッチを大型化することなく、位置検知スイッチにより遊技盤の外枠に対する相対位置の変化を確実かつ正確に検知することができる遊技盤及び遊技機を提供する。【解決手段】支持部材２０８が外枠１２の壁部１２Ａ側に位置している状態で、内枠１４を外枠１２に対して閉じようとすると、スイッチ押さえ部材２１６が外枠１２の壁部１２Ａに接触し、スイッチ押さえ部材２１６には外枠１２の壁部１２Ａから所定の押圧力が作用する。これにより、スイッチ押さえ部材２１６は、第２軸部材２１４を中心として任意の円弧を描くように回転移動していく。この結果、弾性片部２２６の自由端にはスイッチ押さえ部材２１６からの押圧力が作用するため、弾性片部２２６が弾性変形し、接触検知部２２４が弾性片部２２６により押圧されてスイッチ部本体２２２に押し込まれる。【選択図】      図９
2008183249.tif 000002
【特許請求の範囲】
【請求項１】
表面に遊技領域が形成され、外枠に対して開閉可能に取り付けられる内枠に装着されるとともに、前記外枠に対する相対位置の変化を検知する位置検知手段が設けられた遊技盤であって、
前記位置検知手段は、
前記外枠と接触し前記外枠からの押圧力を受けて移動する接触移動部材と、
前記接触移動部材と接触し前記接触移動部材の移動を検知する検知部材と、
を有することを特徴とする遊技盤。
【請求項２】
前記接触移動部材は、長手方向一方側端部が回転可能に支持され、長手方向他方側端部が前記長手方向一方側端部を中心として回転可能に構成されていることを特徴とする請求項１に記載の遊技盤。
【請求項３】
前記検知部材は、
前記接触移動部材が移動したときに前記接触移動部材により押圧されて弾性変形する弾性片部と、
前記弾性片部の弾性変形量が所定量よりも大きくなると前記弾性片部により押圧されて作動するスイッチ部本体と、
を有することを特徴とする請求項１又は２に記載の遊技盤。
【請求項４】
前記検知部材は、
長手方向一方側端部が固定端とされ、長手方向他方側端部が前記接触移動部材と接触する自由端とされ、前記接触移動部材が移動したときに前記接触移動部材により前記長手方向他方側端部が押圧されて弾性変形する弾性片部と、
前記弾性片部の前記長手方向一方側端部近傍の部位に接触可能に設けられ、前記長手方向一方側端部近傍の部位に押圧されて作動するスイッチ部本体と、
を有することを特徴とする請求項１又は２に記載の遊技盤。
【請求項５】
前記接触移動部材と前記検知部材は、単一の支持部材に設けられており、
前記支持部材は、前記内枠が前記外枠に対して閉じた状態で前記接触移動部材と前記外枠との接触を回避する方向に移動可能に設けられていることを特徴とする請求項１乃至４のいずれか１項に記載の遊技盤。
【請求項６】
前記支持部材の移動軌跡上に出没可能に設けられた操作部材を有し、
前記操作部材は、
前記接触移動部材が前記遊技盤の外縁部から外側に突出した状態で前記支持部材と接触して前記支持部材の移動を阻止することで前記接触移動部材が前記遊技盤の外縁部から外側に突出した状態を維持し、
前記接触移動部材が前記遊技盤の外縁部から内側に位置した状態で前記支持部材と接触して前記支持部材の移動を阻止することで前記接触移動部材が前記遊技盤の外縁部から内側に位置した状態を維持することを特徴とする請求項５に記載の遊技盤。
【請求項７】
請求項１乃至６のいずれか１項に記載の遊技盤を備えたことを特徴とする遊技機。
【発明の詳細な説明】
【技術分野】
【０００１】
本発明は、遊技機の外郭を構成する外枠に対して開閉可能に設けられた内枠に装着されかつ表面に遊技領域が形成される遊技盤及びその遊技盤を備えた遊技機に関する。
【背景技術】
【０００２】
従来の遊技機は、木枠である外枠と、外枠の内部に収納され外枠に対して開閉可能に取り付けられる内枠と、その内枠に対して取り付けられ正面に遊技領域が形成された遊技盤と、を備えている。
【０００３】
このような従来の遊技機の内枠には、内枠が外枠に対して開放していることを検知するための出没式の位置検知スイッチが取り付けられている。内枠が外枠に対して閉じた状態では、位置検知スイッチがＯＮ（あるいはＯＦＦ）となり、内枠が外枠に対して開放すると、位置検知スイッチがＯＦＦ（あるいはＯＮ）となって、内枠が外枠に対して開放したことが検知される仕組みである（下記特許文献１）。
【０００４】
ところで、上記した問題点を解決するために、遊技盤の裏面に位置検知スイッチを取り付けたものが提案されている。この位置検知スイッチは、遊技盤の外枠に対する相対位置の変化を検知するものであり、遊技盤が取り付けられた内枠が外枠に対して開いていた場合や、内枠が外枠に対して閉じられているが遊技盤のみが位置ずれしている場合を的確に検知することが可能である。ここで、このような位置検知スイッチは、スイッチとして機能するスイッチ部本体が出没可能に設けられており、スイッチ部本体が外枠から押圧されて凹んだ状態では位置検知スイッチがＯＮ状態となり、スイッチ部本体が外枠から押圧されることなく突出した状態では位置検知スイッチがＯＦＦ状態となり、これらＯＮ状態とＯＦＦ状態の切り替えにより遊技盤の外枠に対する相対位置の変化を把握することができる。
【特許文献１】特開２００６−４３２０２号公報
【発明の開示】
【発明が解決しようとする課題】
【０００５】
しかしながら、上記従来の遊技機では、遊技盤に位置検知スイッチを取り付けて、遊技盤の外枠に対する相対位置の変化を検知することはできるが、位置検知スイッチの構造がスイッチ部本体の出没式によるものであるため、構造上、位置検知スイッチの検知ストローク量（検知されるまでのスイッチ部本体の移動距離）が小さく制限されるものであった。また、遊技盤自体の大きさにも制限があるため、位置検知スイッチの検知ストロークを確保しようとして、遊技盤を大きくしさらに位置検知スイッチも大型化させることは不可能であった。このため、位置検知スイッチの遊技盤への取付位置が正確でないと、位置検知スイッチのスイッチ本体部と外枠が接触することができず、スイッチ部本体による外枠の検知が不可能となり、位置検知スイッチにより遊技盤の外枠に対する相対位置の変化を正確に検知することができないおそれがあった。
【０００６】
また、上述したように、上記従来の遊技機では、構造上、位置検知スイッチの検知ストローク量が小さく制限されるものであるため、位置検知スイッチのスイッチ部本体による外枠の検知を確実にするためには、位置検知スイッチの遊技盤に対する高い位置精度が要求されることになる。この結果、位置検知スイッチの遊技盤への取付作業が極めて困難となっていた。
【０００７】
そこで、本発明は、位置検知スイッチを大型化することなく、位置検知スイッチにより遊技盤の外枠に対する相対位置の変化を確実かつ正確に検知することができる遊技盤及び遊技機を提供することを目的とする。
【０００８】
また、本発明は、位置検知スイッチの遊技盤への取付作業を容易にすることができる遊技盤及び遊技機を提供することを目的とする。
【課題を解決するための手段】
【０００９】
請求項１に記載の発明は、表面に遊技領域が形成され、外枠に対して開閉可能に取り付けられる内枠に装着されるとともに、前記外枠に対する相対位置の変化を検知する位置検知手段が設けられた遊技盤であって、前記位置検知手段は、前記外枠と接触し前記外枠からの押圧力を受けて移動する接触移動部材と、前記接触移動部材と接触し前記接触移動部材の移動を検知する検知部材と、を有することを特徴とする。
【００１０】
請求項２に記載の発明は、請求項１に記載の遊技盤において、前記接触移動部材は、長手方向一方側端部が回転可能に支持され、長手方向他方側端部が前記長手方向一方側端部を中心として回転可能に構成されていることを特徴とする。
【００１１】
請求項３に記載の発明は、請求項１又は２に記載の遊技盤において、前記検知部材は、前記接触移動部材が移動したときに前記接触移動部材により押圧されて弾性変形する弾性片部と、前記弾性片部の弾性変形量が所定量よりも大きくなると前記弾性片部により押圧されて作動するスイッチ部本体と、を有することを特徴とする。
【００１２】
請求項４に記載の発明は、請求項１又は２に記載の遊技盤において、前記検知部材は、長手方向一方側端部が固定端とされ、長手方向他方側端部が前記接触移動部材と接触する自由端とされ、前記接触移動部材が移動したときに前記接触移動部材により前記長手方向他方側端部が押圧されて弾性変形する弾性片部と、前記弾性片部の前記長手方向一方側端部近傍の部位に接触可能に設けられ、前記長手方向一方側端部近傍の部位に押圧されて作動するスイッチ部本体と、を有することを特徴とする。
【００１３】
請求項５に記載の発明は、請求項１乃至４のいずれか１項に記載の遊技盤において、前記接触移動部材と前記検知部材は、単一の支持部材に設けられており、前記支持部材は、前記内枠が前記外枠に対して閉じた状態で前記接触移動部材と前記外枠との接触を回避する方向に移動可能に設けられていることを特徴とする。
【００１４】
請求項６に記載の発明は、請求項５に記載の遊技盤において、前記支持部材の移動軌跡上に出没可能に設けられた操作部材を有し、前記操作部材は、前記接触移動部材が前記遊技盤の外縁部から外側に突出した状態で前記支持部材と接触して前記支持部材の移動を阻止することで前記接触移動部材が前記遊技盤の外縁部から外側に突出した状態を維持し、前記接触移動部材が前記遊技盤の外縁部から内側に位置した状態で前記支持部材と接触して前記支持部材の移動を阻止することで前記接触移動部材が前記遊技盤の外縁部から内側に位置した状態を維持することを特徴とする。
【００１５】
請求項７に記載の発明は、請求項１乃至６のいずれか１項に記載の遊技盤を備えた遊技機であることを特徴とする。
【００１６】
上記請求項７に記載の発明は、さらに具体的には、以下のように表現することができる。
【００１７】
すなわち、表面に遊技領域が形成され、外枠に対して開閉可能に取り付けられる内枠に装着されるとともに前記外枠に対する相対位置の変化を検知する位置検知手段が設けられた遊技盤、を備えた遊技機であって、前記位置検知手段は、前記外枠と接触し前記外枠からの押圧力を受けて移動する接触移動部材と、前記接触移動部材と接触し前記接触移動部材の移動を検知する検知部材と、を有することを特徴とする。
【００１８】
また、前記接触移動部材は、長手方向一方側端部が回転可能に支持され、長手方向他方側端部が前記長手方向一方側端部を中心として回転可能に構成されていることを特徴とする。
【００１９】
また、前記検知部材は、前記接触移動部材が移動したときに前記接触移動部材により押圧されて弾性変形する弾性片部と、前記弾性片部の弾性変形量が所定量よりも大きくなると前記弾性片部により押圧されて作動するスイッチ部本体と、を有することを特徴とする。
【００２０】
また、前記検知部材は、長手方向一方側端部が固定端とされ、長手方向他方側端部が前記接触移動部材と接触する自由端とされ、前記接触移動部材が移動したときに前記接触移動部材により前記長手方向他方側端部が押圧されて弾性変形する弾性片部と、前記弾性片部の前記長手方向一方側端部近傍の部位に接触可能に設けられ、前記長手方向一方側端部近傍の部位に押圧されて作動するスイッチ部本体と、を有することを特徴とする。
【００２１】
また、前記接触移動部材と前記検知部材は、単一の支持部材に設けられており、前記支持部材は、前記内枠が前記外枠に対して閉じた状態で前記接触移動部材と前記外枠との接触を回避する方向に移動可能に設けられていることを特徴とする。
【００２２】
さらに、前記支持部材の移動軌跡上に出没可能に設けられた操作部材を有し、前記操作部材は、前記接触移動部材が前記遊技盤の外縁部から外側に突出した状態で前記支持部材と接触して前記支持部材の移動を阻止することで前記接触移動部材が前記遊技盤の外縁部から外側に突出した状態を維持し、前記接触移動部材が前記遊技盤の外縁部から内側に位置した状態で前記支持部材と接触して前記支持部材の移動を阻止することで前記接触移動部材が前記遊技盤の外縁部から内側に位置した状態を維持することを特徴とする。
【発明の効果】
【００２３】
請求項１に記載の発明によれば、表面に遊技領域が形成された遊技盤は、外枠に対して開閉可能に取り付けられる内枠に装着されている。このため、内枠が外枠に対して開くと、遊技盤も内枠とともに開き、遊技盤の外枠に対する相対位置が変化し、位置検知手段によりその変化が検知される。ここで、内枠が外枠に対して閉じられると、位置検知手段を構成する接触移動部材が外枠から押圧力を受ける。接触移動部材が外枠から押圧力を受けると、接触移動部材が移動する。接触移動部材が移動すると、検知部材によりその移動が検知される。検知部材により接触移動部材の移動が検知されることにより、遊技盤の外枠に対する相対位置が正常の位置であることが判断される。
【００２４】
このように、遊技盤の外枠に対する相対位置の変化は、検知部材による接触移動部材の検知の有無に基づくものであるが、検知部材が外枠に直接接触する構成ではなく、接触移動部材を介して外枠を検知する構成であるため、接触移動部材の移動量の分だけ、位置検知手段の検知ストロークを増加することができる。この結果、位置検知手段が遊技盤に対して位置ずれした状態でも、位置検知手段の遊技盤に対する位置ずれの悪影響を受けることなく、外枠（遊技盤の外枠に対する相対位置の変化）を確実に検知することができる。換言すれば、位置検知手段が遊技盤に対して位置ずれした状態でも、接触移動部材の移動量に位置ずれ量を吸収させることができるため、位置検知手段の遊技盤に対する位置ずれの悪影響を受けることなく、外枠（遊技盤の外枠に対する相対位置の変化）を確実に検知することができる。
【００２５】
逆に、位置検知手段の遊技盤に対する位置ずれの悪影響を受けることなく、外枠（遊技盤の外枠に対する相対位置の変化）を確実に検知することができるので、位置検知手段の遊技盤に対する高い位置精度が要求されることがない。この結果、位置検知手段の遊技盤に対する取付作業が容易になる。
【００２６】
請求項２に記載の発明によれば、接触移動部材は、長手方向一方側端部が回転可能に支持され、長手方向他方側端部が長手方向一方側端部を中心として円弧を描くように回転可能に構成されている。このため、接触移動部材が外枠から押圧力を受けると、接触移動部材の長手方向他方側端部が長手方向一方側端部を回転中心として、円弧を描くように移動する。そして、上記のように移動した接触移動部材は、検知部材により検知される。このように、接触移動部材が円弧を描くように移動することで、位置検知手段を大型化することなく、狭いスペースで接触移動部材の移動を確保することができる。
【００２７】
請求項３に記載の発明によれば、接触移動部材が移動したときに、検知部材を構成する弾性片部が接触移動部材により押圧されて弾性変形する。そして、弾性片部の弾性変形量が所定量よりも大きくなると、検知部材を構成するスイッチ部本体が弾性片部により押圧されて作動する。このように、検知部材の弾性片部の弾性変形を利用してスイッチ部本体を作動することで、接触移動部材の移動量以外に、弾性片部の弾性変形量を位置検知手段の検知ストローク量に加えることができる。この結果、位置検知手段の遊技盤に対する大きな取付誤差も確実に吸収することができ、位置検知手段の検知精度を格段に高めることができる。
【００２８】
請求項４に記載の発明によれば、検知部材を構成する弾性片部は、長手方向一方側端部が固定端に設定されており、長手方向他方側端部が接触移動部材と接触する自由端となるように設定されている。そして、接触移動部材が移動したときに、検知部材の長手方向他方側端部が接触移動部材により押圧されて、弾性片部が弾性変形する。また、弾性片部の長手方向他方側端部は長手方向一方側端部と比較して撓み量が大きくなるが、スイッチ部本体が弾性片部の長手方向一方側端部（固定端部）近傍の部位に接触可能に設けられているため、弾性片部の長手方向他方側端部が接触移動部材により押圧されて撓み量が大きくなると、やがてスイッチ部本体が弾性片部の長手方向一方側端部近傍の部位に押圧されて作動する。このように、検知部材の弾性片部の弾性変形を利用してスイッチ部本体を作動させることで、接触移動部材の移動量以外に、弾性片部の弾性変形量を位置検知手段の検知ストローク量に加えることができる。この結果、位置検知手段の遊技盤に対する大きな取付誤差も確実に吸収することができ、位置検知手段の検知精度を格段に高めることができる。
【００２９】
請求項５に記載の発明によれば、接触移動部材と検知部材は単一の支持部材に設けられており、この支持部材は内枠が外枠に対して閉じた状態で接触移動部材と外枠との接触を回避する方向に移動可能に設けられている。これにより、内枠が外枠に対して閉じた状態でも、支持部材を移動させることにより、接触移動部材と外枠との接触を回避させることができる。この結果、遊技盤を搬送する場合などに、接触移動部材と外枠との接触を回避させることで、接触移動部材と外枠との接触が原因となる位置検知手段の破損や故障を防止することができる。
【００３０】
請求項６に記載の発明によれば、支持部材の移動軌跡上に出没可能となる操作部材が設けられており、接触移動部材が遊技盤の外縁部から外側に突出した状態で、操作部材が支持部材と接触することで支持部材の移動が阻止される。これにより、接触移動部材が支持部材とともに内側に移動することがないので、遊技盤の外縁部から外側に突出した状態が維持される。また、接触移動部材が遊技盤の外縁部から内側に位置した状態で、操作部材が支持部材と接触することで支持部材の移動が阻止される。これにより、接触移動部材が支持部材とともに外側に移動することがないので、接触移動部材が遊技盤の外縁部から内側に位置した状態が維持される。このように、操作部材を操作するだけで、支持部材を常に適切な位置に配置（待機）させておくことができる。この結果、支持部材上に設けられている接触移動部材も常に適切な位置に配置（待機）させることができ、かつその位置を維持させることができる。
【００３１】
請求項７に記載の発明によれば、請求項１乃至６のいずれか１項に記載の遊技盤を備えることで、遊技機を大型化させることなく、位置検知手段のストローク量を確保することができる。すなわち、遊技機を大型化させると、遊技機に組み付けられる各構成部材の大きさやこの遊技機を設置するホール側のスペースなどを全て変更しなければならなくなるが、上記遊技盤に設けられた位置検知手段を設けることで、遊技機を大型化させることなく、位置検知手段のストローク量を確保することができる。この結果、遊技機を大型化させることなく、外枠に対する遊技盤の相対位置の変化を確実に検知することができる。
【発明を実施するための最良の形態】
【００３２】
次に、本発明の第１実施形態に係る遊技機について、図面を参照して説明する。なお、本実施形態では本発明を弾球遊技機の一例であるパチンコ機に適用した構成を説明する。
【００３３】
図１乃至図３に示すように、第１実施形態に係る遊技機であるパチンコ機（遊技機）１０の前面部には、主として、外枠１２と、内枠１４と、前面枠１６と、上皿部１８と、下皿部２０と、遊技球を発射させるための発射ハンドル２２などが設けられている。
【００３４】
図１及び図３に示すように、外枠１２は、木製の板状体を略長方形の額縁状に組立て固着したものである。内枠１４は、全体がブラスチック製で構成されており、その幅方向一方側端部が外枠１２に開閉可能に軸支されている。また、内枠１４には、後述の遊技盤２４が装着可能になっている。また、内枠１４の下部には、下皿部２０と、発射ハンドル２２と、がそれぞれ取り付けられている。また、図２に示すように、内枠１６の左下部には、スピーカ２６が設けられている。
【００３５】
図１に示すように、前面枠１６は、内枠１４の左端に開閉可能となるように軸支されている。また、前面枠１６は、全体がプラスチック製であり、遊技盤２４を前方から視認するべく、遊技盤２４に形成された遊技領域２８の形状に対応して略円形に形成された開口部３０を有している。また、前面枠１６の裏面には、ガラス板３２がガラス枠（図示省略）によって取り付けられている。そして、遊技者を基準とすれば、遊技盤２４に形成された遊技領域２８はガラス板３２の後方に位置するようになっている。なお、本実施形態では、ガラス板３２を前面枠１６の裏面側に取り付けた構成を例にとり説明したが、例えば、前面枠１６の前面側にガラス枠により取り付けてもよい。また、ガラス板３２に替えて、透明な樹脂板を前面枠１６に取り付けることができる。また、前面枠１６の開口部３０の下部には、上皿部１８が取り付けられている。
【００３６】
また、図２に示すように、内枠１４には、遊技領域２８が装着される開口部３４が形成されている。この内枠１４の開口部３４には、遊技盤２４が装着される。これにより、遊技者は、内枠１４に装着された遊技盤２４の遊技領域２８を前面枠１６の開口部３０を通して視認することができる。
【００３７】
次に、内枠１４に装着される遊技盤２４の表面構造について説明する。
【００３８】
図４に示すように、遊技盤２４は、内枠１４の開口部３４に装着・保持されるとともに、その裏面には裏機構盤３６が取り付けられている。遊技盤２４には、遊技盤２４の表面に設けられた外レール３８と内レール４０とにより略円形状の遊技領域２８が区画形成されている。遊技領域２８の内部には、中央装置４２と、始動口４４を有する普通電動役物４６と、ワープ入球口４８と、多数の障害釘５０と、風車５２等と、がそれぞれ配設されている。
【００３９】
中央装置４２は、遊技領域２８の略中央部に配置されており、演出図柄表示装置５４と、センター役物５６と、ランプ装置５８と、を備えている。
【００４０】
演出図柄表示装置５４は、後述の主制御基板１０２（図５参照）やサブ制御基板１０６（図５参照）からの制御信号に基づいて表示制御されており、略長方形状の映像画面を有している。この映像画面上には、特別図柄の擬似図柄である擬似特別図柄（擬似図柄）が表示される。具体的には、演出図柄表示装置５４の映像画面上には、１又は複数の擬似特別図柄を所定の方向に次々と変動させながら表示した後、停止表示する擬似特別図柄表示領域が形成されている。すなわち、左擬似特別図柄（左擬似図柄）を表示する左擬似特別図柄表示領域、中央擬似特別図柄（中央擬似図柄）を表示する中央擬似特別図柄表示領域、及び右擬似特別図柄（右擬似図柄）を表示する右擬似特別図柄表示領域が、略横一列となる配置方向に沿って並んで形成されている（それぞれ図示省略）。各擬似特別図柄表示領域は、これらの表示領域の配置方向と略直交する方向（上下方向）に図柄変動方向が設定されており、その方向に複数の擬似特別図柄が順次表示されていく。
【００４１】
演出図柄表示装置５４は、遊技球が普通電動役物４６の始動口４４に入球することにより、その映像画面の表示領域に表示される各擬似特別図柄をそれぞれ変動させて停止表示させるものである。そして、例えば、擬似特別図柄が「７、７、７」の３桁同一図柄で揃って停止表示（確定表示）すると、後述の変動入賞装置７２に配設された後述の大入賞装置７６の大入賞口７８が開放される。本実施形態のパチンコ機１０では普通電動役物４６の始動口４４に遊技球が入球すると、各擬似特別図柄がそれぞれ変動され、擬似特別図柄が３桁同一図柄で揃うことにより、「大当り」という特定価値を付与するものである。
【００４２】
ここで、本実施形態のパチンコ機１０では、例えば、大当りとして２種類のものが予め設定されている。具体的には、「７、７、７」などの同一の奇数数字の擬似特別図柄が３桁揃うことにより成立する確変大当りがある。また、「８、８、８」などの同一の偶数数字の擬似特別図柄が３桁揃うことにより成立する通常大当りがある。
【００４３】
確変大当り及び通常大当りは、比較的多くのラウンド数（例えば１５ラウンド）を有し、大入賞口７８の開放時間が約２６秒間である大当りである。このため、賞球数が比較的多くなる。なお、各大当りでは、大入賞口７８に所定数（例えば、１０個）の遊技球が入球するか、あるいは所定数（例えば、１０個）の遊技球が入球しなくても所定時間（例えば２６秒間）が経過したときに大入賞口７８が閉じられて１ラウンドが終了する。
【００４４】
また、確率変動状態は、大当り（確変大当り、通常大当りの２種類の大当り意味する）に移行する確率が予め定められた高確率となる状態である。また、開放時間延長状態は、普通電動役物４６の始動口４４の開放時間が通常よりも延長される状態である。例えば、通常の開放時間は、約０．１秒間であるのに対して、開放時間延長状態では、約４秒間に延長される。なお、普通電動役物４６の始動口４４は、普通図柄に当選することにより開放する。
【００４５】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ普通電動役物４６の開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ普通電動役物４６の開放延長機能が作動する時短遊技状態となる。
【００４６】
センター役物５６は、演出図柄表示装置５４の前面周辺部に突設して装着されている。センター役物５６は、可動する一対の翼片部５６Ａを有している。この翼片部５６Ａの可動によりワープ入球口４８の開口面積が変化する。
【００４７】
また、遊技領域の左下方側には、主制御基板１０２（図５参照）からの制御信号に基づいて本図柄（特別図柄の本図柄及び普通図柄の本図柄を意味する）を表示制御する７セグ表示基板６０が配置されている。この７セグ表示基板６０は、特別図柄の本図柄を表示する７セグメント表示器６２と、４個の普通図柄保留表示ＬＥＤ６４と、４個の特別図柄保留表示ＬＥＤ６６と、普通図柄の本図柄を表示する２個の普通図柄表示ＬＥＤ６８と、を有している。
【００４８】
ここで、確変大当りした場合では、７セグメント表示器６２には、予め定められた図柄（例えば奇数の数字）が表示される。また、通常大当りした場合では、７セグメント表示器６２には、予め定められた別の図柄（例えば偶数の数字）が表示される。そして、各大当りのラウンド中では、７セグメント表示器６２にはその図柄が表示される。
【００４９】
また、演出図柄表示装置５４の左側には、普通図柄作動ゲート７０が配置されている。この普通図柄作動ゲート７０の内部には、ゲートスイッチ１１６（図５参照）が配設されている。これにより、遊技球が普通図柄作動ゲート７０を通過すると、ゲートスイッチ１１６が作動して、７セグ表示基板６０の普通図柄表示ＬＥＤ６８が変動表示される。
【００５０】
各普通図柄保留表示ＬＥＤ６４及び各特別図柄保留表示ＬＥＤ６６は、４個の丸形の赤色ＬＥＤで構成されており、７セグメント表示器６２の左右両側に近接して配置されている。これは、普通図柄作動ゲート７０を通過した遊技球の数を４個まで普通図柄の保留とし、通過ごとに順次点灯しシフト表示するものである。また、普通電動役物４６の始動口４４に入球した遊技球の数も４個まで特別図柄の保留とし、入球ごとに順次点灯しシフト表示するものである。７セグメント表示器６２の変動表示が開始するたびに、未始動回数が消化され、１個の特別図柄保留表示ＬＥＤ６６は消灯される。また、普通図柄も普通図柄表示ＬＥＤ６８の変動表示が開始するたびに、未始動回数が消化され、１個の普通図柄保留表示ＬＥＤ６４が消灯される。そして、７セグメント表示器６２に予め定められた大当り図柄が停止表示されると大当りが発生し、後述の大入賞口７８が開放状態となる。また、２個の普通図柄表示ＬＥＤ６８が予め定められた表示態様（当り図柄）で停止表示されると、普通図柄当りが発生し、普通電動役物４６の始動口４４が開放状態となる。なお、７セグメント表示器６２にて表示される特別図柄の本図柄と、演出図柄表示装置５４にて表示される特別図柄の擬似図柄とは、同一の遊技結果（抽選結果）を示すものである。
【００５１】
普通電動役物４６の始動口４４は、演出図柄表示装置５４の下方に離れて配置されているものであり、いわゆるチューリップ式で一対の翼片部４６Ａが開閉するように形成されている。その内部には、遊技球の通過を検知する始動口スイッチ１１２と、翼片部４６Ａを作動させるための普通電動役物ソレノイド１２０と、がそれぞれ備えられている。この一対の翼片部４６Ａが左右に開くと始動口４４の開放面積が大きくなって遊技球の入球可能性が大きくなる開放状態となり、一対の翼片部４６Ａが閉じその離間距離が小さくなると始動口４４の開放面積が小さくなって遊技球の入球の可能性が小さくなる通常状態となる。
【００５２】
変動入賞装置７２は、普通電動役物４６の下方に配置されており、基板７４と、大入賞装置７６と、を備えている。ここで、大入賞装置７６は、略中央に配置されており、帯状に開口された大入賞口７８と、この大入賞口７８を開放又は閉鎖する開閉板８０と、この開閉板８０を開閉するための大入賞口ソレノイド１２２と、入賞球を検知するカウントスイッチ１１８と、を備えている。
【００５３】
また、中央装置４２の左側には、風車５２が配置されている。さらに、遊技領域の左側下方部及び右側下方には、一対のサイドランプ８２がそれぞれ配置されている。
【００５４】
また、遊技盤２４の下方にはアウト口８４が設けられており、このアウト口８４の下部にはバック球防止部材８６が設けられている。このバック球防止部材８６は、遊技領域２８に到達せず戻ってきた遊技球が再び発射位置に戻ることを防止している。また、内レール４０の先端部には、ファール球防止部材８８が取り付けられている。
【００５５】
次に、パチンコ機１０を構成する電子制御装置について説明する。
【００５６】
図５乃至図８に示すように、電子制御装置１００は、主制御基板１０２と、払出制御基板１０４と、サブ制御基板１０６と、発射制御基板１０８と、を備えている。
【００５７】
図５に示すように、主制御基板１０２は、ＣＰＵと、ＲＯＭと、を備えている。
【００５８】
また、主制御基板１０２のＣＰＵは、ＲＯＭに記憶されたデータに基づいて、後述の普通電動役物ソレノイド１２０、後述の大入賞口ソレノイド１２２、後述の図柄表示装置１２４及びサブ制御基板１０６をそれぞれ制御する。また、主制御基板１０２のＣＰＵは、遊技全体を司り主として当否判定などの遊技状態を判断するものであり、この判断した遊技状態に沿った遊技環境（演出態様）を実現させるように制御するサブ制御基板１０６及び払出制御基板１０４を直接的に制御する。また、主制御基板１０２のＣＰＵは、演出表示基板１５６、アンプ基板１５８、装飾駆動基板１６０及び演出ボタン基板１６２をサブ制御基板１０６を介して間接的に制御する。
【００５９】
また、主制御基板１０２のＲＯＭには、ＣＰＵにより実行される遊技全体の制御を実現するためのプログラムが記憶されている。
【００６０】
また、主制御基板１０２は、中継端子板１１０を介して、始動口スイッチ１１２と、大入賞口スイッチ１１４と、ゲートスイッチ１１６と、カウントスイッチ１１８と、にそれぞれ電気的に接続されている。
【００６１】
また、主制御基板１０２は、中継端子板１１９を介して、普通電動役物ソレノイド１２０と、大入賞口ソレノイド１２２と、図柄表示装置１２４と、にそれぞれ電気的に接続されている。なお、７セグ表示基板６０は、図柄表示装置１２４の一実施形態である。
【００６２】
払出制御基板１０４は、中継端子板１２６を介して、ガラス枠スイッチ１２８と、外部タンクスイッチ１３０と、タンクスイッチ１３２と、にそれぞれ電気的に接続されている。また、払出制御基板１０４は、中継端子板１３４を介して、エラーＬＥＤ１３６に電気的に接続されている。また、払出制御基板１０４は、下皿満タンスイッチ１３８に電気的に接続されている。また、払出制御基板１０４は、中継端子板１４０を介して、球貸表示基板１４２と、球貸装置（ＣＲユニット）１４４と、にそれぞれ電気的に接続されている。
【００６３】
なお、球貸表示基板１４２には、球貸スイッチ１４６と、返却スイッチ１４８と、がそれぞれ電気的に接続されている。また、払出制御基板１０４は、中継端子板１５０を介して、払出モータ１５２と払出スイッチ１５４とにそれぞれ電気的に接続されている。さらに、払出制御基板１０４は、主制御基板１０２と発射制御基板１０８とにそれぞれ電気的に接続されている。
【００６４】
図５及び図６に示すように、サブ制御基板１０６は、演出表示基板１５６と、アンプ基板１５８と、装飾駆動基板１６０と、演出ボタン基板１６２と、にそれぞれ電気的に接続されている。
【００６５】
また、サブ制御基板１０６は、主制御基板１０２からの制御信号に基づいて遊技の演出の制御を司るものである。また、サブ制御基板１０６は、ＣＰＵと、ＲＯＭと、を備えている。
【００６６】
サブ制御基板１０６のＣＰＵは、主制御基板１０２からの制御信号を受けて演出表示基板１５６、アンプ基板１５８、装飾駆動基板１６０及び演出ボタン基板１６２などの各基板を制御する。
【００６７】
また、サブ制御基板１０６のＲＯＭには、各基板の制御に必要なデータ（特に遊技の装飾に関する情報）が記憶されている。
【００６８】
また、図６に示すように、演出表示基板１５６には、演出表示装置１６４（５４）と、演出表示ＲＯＭ１６６と、がそれぞれ電気的に接続されている。この演出表示ＲＯＭ１６６には、演出図柄表示装置５４に変動表示される擬似特別図柄のデータが記憶されている。なお、演出図柄表示装置５４は、演出表示装置１６４の一実施形態である。
【００６９】
また、アンプ基板１５８には、所定の効果音を出力する各種スピーカ１６８（２６）が電気的に接続されている。なお、スピーカ２６は、各種スピーカ１６８の一実施形態である。
【００７０】
また、装飾駆動基板１６０には、各種ＬＥＤ・ランプ１７０（５８、８２）が電気的に接続されている。また、装飾駆動基板１６０は、サブ制御基板１０６からの制御信号を受けて遊技の装飾に関する制御を行うものである。また、演出ボタン基板１６２には、操作スイッチ１７２が電気的に接続されている。なお、ランプ装置５８及びサイドランプ８２は、各種ＬＥＤ・ランプ１７０の一実施形態である。
【００７１】
また、図７に示すように、主制御基板１０２、サブ制御基板１０６、払出制御基板１０４及び発射制御基板１０８には、各基板に電力をそれぞれ供給するための電源基板１７４が接続されている。
【００７２】
また、図８に示すように、発射制御基板１０８には、発射駆動基板１７６を介して、発射モータ１７８と、発射停止スイッチ１８０と、タッチスイッチ１８２と、がそれぞれ電気的に接続されている。また、発射制御基板１０８には、球送りソレノイド１８４が電気的に接続されている。
【００７３】
ここで、本発明の要部について説明する。
【００７４】
図２乃至図４に示すように、遊技盤２４の裏面には、位置検知スイッチ（位置検知手段）２００が取り付けられている。この位置検知スイッチ２００は、遊技盤２４裏面であって内枠１４が外枠１２に対して開閉可能に軸支されている側に取り付けられている。この位置検知スイッチ２００は、遊技盤２４の外枠１２に対する相対位置の変化を検知するためのものである。なお、図５に示すように、位置検知スイッチ２００は、主制御基板１０２と電気的に接続されている。
【００７５】
ここで、位置検知スイッチ２００が遊技盤２４の裏面であって軸支される側に取り付けられるのは、外枠１２との衝突によって位置検知スイッチ２００を構成するスイッチ部材（検知部材）２２０を破損させないためである。すなわち、図１５及び図１６に示すように、仮に位置検知スイッチ２００が遊技盤２４上であって軸支される側と反対側（開閉側）に位置検知スイッチ２００が取り付けられると、内枠１４が外枠１２に対して閉じられるときに、接触検知部（スイッチ部本体）２２４が飛び出た状態で外枠１２と接触することになるため、スイッチ部材２２０が破損するおそれが極めて高くなるので不適となる。
【００７６】
図９乃至図１２に示すように、位置検知スイッチ２００は、遊技盤２４に取り付けられるベース部材２０２を備えている。このベース部材２０２にはネジなどの固着具（図示省略）を通すための貫通孔２０４が複数の形成されており、この貫通孔２０４に固着具が挿通されて遊技盤２４にねじ込まれることにより、位置検知スイッチ２００が遊技盤２４の裏面に対して取り付けられる。
【００７７】
また、ベース部材２０２の表面には、第１軸部材２０６が取り付けられている。この第１軸部材２０６には、支持部材２０８が取り付けられている。すなわち、支持部材２０８の端部には長溝２１０が形成されており、この長溝２１０に第１軸部材２０６が挿入されている。そして、第１軸部材２０６にナット部材２１２が螺合してベース部材２０２とナット部材２１２との間に支持部材２０８を挟持させることにより、支持部材２０８がベース部材２０２に取り付けられている。支持部材２０８がベース部材２０２とナット部材２１２により挟まれる力は、第１軸部材２０６に対するナット部材２１２の螺合度により適宜調整可能になっている。また、支持部材２０８は、第１軸部材２０６を回転中心として任意の円弧を描くように回転することができるように構成されている。なお、長溝２１０に対する第１軸部材２０６の位置を調整することにより、支持部材２０８の回転半径を適宜変化させることができる。これにより、位置検知スイッチ２００が取り付けられるスペースなどを考慮して、支持部材２０８の回転軌跡を適宜変更することができるため、位置検知スイッチ２００の取付自由度を増すことが可能になる。
【００７８】
また、支持部材２０８には、第２軸部材２１４が取り付けられている。この第２軸部材２１４には、全体として略直方体状のスイッチ押さえ部材（接触移動部材）２１６が取り付けられている。すなわち、スイッチ押さえ部材２１６の長手方向一方側の端部には取付部２１８が形成されており、その取付部２１８に形成された貫通孔に第２軸部材２１４が挿入されている。このため、スイッチ押さえ部材２１６は、長手方向一方側端部の取付部２１８を貫通している第２軸部材２１４を回転中心として任意の円弧を描くように回転する。このスイッチ押さえ部材２１６の幅方向一方側側面部２１６Ａにある長手方向他方側の角部２１６Ｒ１には、外枠１２の壁部１２Ａが接触可能となり、このスイッチ押さえ部材２１５の幅方向他方側側面部２１６Ｂにある長手方向一方側の角部２１６Ｒ２には、後述する弾性片部２２６の自由端が接触している。
【００７９】
また、支持部材２０８には、スイッチ部材２２０が取り付けられている。このスイッチ部材２２０は、主制御基板１０２と接続し検知信号を送信するための通信線２２３を備えたスイッチ部本体２２２と、スイッチ部本体２２２に収納可能に設けられ任意の押圧力を受け又はその押圧力が解除されることによりスイッチ部本体２２２に対して出没する接触検知部２２４と、スイッチ部本体２２２に取り付けられ弾性変形可能な弾性片部２２６と、で構成されている。なお、接触検知部２２４は、スイッチ部本体２２２に内蔵されたコイルばね（図示省略）などの弾性力により、通常時は弾性片部２２６側に突出するように配置されている。
【００８０】
ここで、弾性片部２２６は、所定の方向に延在するように構成されており、その長手方向一方側端部２２６Ａがスイッチ部本体２２２に固定されて固定端とされ、その長手方向他方側端部２２６Ｂがスイッチ押さえ部材２１６の幅方向他方側側面部２１６Ｂにある長手方向一方側の角部２１６Ｒ２と接触する自由端とされている。そして、弾性片部２２６は、スイッチ押さえ部材２１６が回転移動したときにスイッチ押さえ部材２１６により自由端である長手方向他方側端部２２６Ｂが押圧されて弾性片部２２６が弾性変形しようとする。このとき、スイッチ押さえ部材２１６の回転移動量が少なくスイッチ押さえ部材２１６からの押圧力が小さいときには、弾性片部２２６の長手方向他方側端部２２６Ｂ（自由端）のみが撓み変形するが、スイッチ押さえ部材２１６の回転移動量が多くなりスイッチ押さえ部材２１６からの押圧力が大きくなると、弾性片部２２６全体が弾性変形する。なお、弾性片部２２６が弾性変形する場合には、自由端である長手方向他方側端部２２６Ｂの撓み量が最も大きくなる。
【００８１】
また、スイッチ部材２２０の接触検知部２２４は、弾性片部２２６の固定端である長手方向一方側端部２２６Ａ近傍の部位に接触可能となるように設けられている。また、弾性片部２２６がスイッチ押さえ部材２１６から押圧力を受けていない状態では、弾性片部２２６と接触しないように設定されている。そして、弾性片部２２６の長手方向一方側端部２２６Ａ近傍の部位の弾性変形量（撓み量）が所定量よりも大きくなると、接触検知部２２４が弾性片部２２６の長手方向一方側端部２２６Ａ近傍の部位に押圧されてスイッチ部本体２２２に押し込まれる。これにより、スイッチ部材２２０は、外枠１２との接触を示す検知信号を通信線２２３を介して主制御基板１０２に対して出力する。
【００８２】
また、支持部材２０８には、位置決め部２２８が設けられている。この位置決め部２２８は、後述する操作部材２３２と接触することにより、支持部材２０８を所定の部位で位置決めする機能を備えている。
【００８３】
また、ベース部材２０２には、スライド溝２３０が形成されている。このスライド溝２３０には、操作部材２３２がスライド移動可能となるように取り付けられている。すなわち、スライド溝２３０の幅方向両端部にはリブ２３４がそれぞれ形成されており、このリブ２３４同士の間には操作部材２３２が取り付けられている。なお、操作部材２３２の幅方向両端部は、リブ２３４と接触している。また、操作部材２３２にはスライド移動方向に延びた長孔２３６が形成されており、この長孔２３６には第３軸部材２３８が挿入されている。このため、操作部材２３２は、リブ２３４により幅方向に位置決めされるとともに、リブ２３４にガイドされる形でスライド溝２３０上をスライド移動する。また、操作部材２３２の先端部には、幅方向寸法が他の部位と比較して小さくなっている傾斜部２４０が形成されている。すなわち、操作部材２３２は、スライド溝２３０上をスライド移動させることにより、図１１に示す待機位置と、図９及び図１０に示す突出位置の双方の位置に配置させることが可能となる。また、図１３に示すように、操作部材２３２をスライド移動させ突出位置に移動させた状態において、支持部材２０８が外枠１２の壁部１２Ａ側（遊技盤２４の外側）に位置しているときには、操作部材２３２の先端部（傾斜部２４０）の幅一方側側面２４０Ａに支持部材２０８の位置決め部２２８が接触している。また、図１４に示すように、支持部材２０８が外枠１２の壁部１２Ａ側と反対側（遊技盤２４の内側）に位置しているときには、操作部材２３２の先端部（傾斜部２４０）の幅方向他方側側面２４０Ｂに支持部材２０８の位置決め部２２８が接触している。
【００８４】
また、ベース部材２０２には、支持部材２０８が外枠１２の壁部１２Ａ側（遊技盤２４の外側）に位置しているときに、操作部材２３２との間で支持部材２０８を挟持するための第１支持部２４２が設けられている。具体的には、支持部材２０８が外枠１２の壁部１２Ａ側（遊技盤２４の外側）に位置している場合には、位置決め部２２８の外側側面２２８Ａに第１支持部２４２が接触し、位置決め部２２８の内側側面２２８Ｂに操作部材２３２の幅方向一方側側面２４０Ａが接触し、支持部材２０８の位置決め部２２８が第１支持部２４２と操作部材２３２とで支持（位置決め固定）された状態となっている。
【００８５】
また、ベース部材２０２には、支持部材２０８が外枠１２の壁部１２Ａ側と反対側（遊技盤２４の内側）に位置しているときに、操作部材２３２との間で支持部材２０８を挟持するための第２支持部２４４が設けられている。具体的には、支持部材２０８が外枠１２の壁部１２Ａ側と反対側（遊技盤２４の内側）に位置している場合には、位置決め部２２８の内側側面２２８Ｂに第２支持部２４４が接触し、位置決め部２２８の外側側面２２８Ａに操作部材２３２の幅方向他方側側面２４０Ｂが接触し、支持部材２０８の位置決め部２２８が第２支持部２４４と操作部材２３２とで支持（位置決め固定）された状態となっている。
【００８６】
また、ベース部材２０２の遊技盤２４と面接する裏面には、複数（２個以上）の凸部２４６が設けられている。遊技盤２４には、凸部２４６が挿入可能となる凹部２４８（図４参照）が複数形成されている。これにより、位置検知スイッチ２００を遊技盤２４に取り付ける際に、ベース部材２０２の凸部２４６を遊技盤２４の凹部２４８に挿入させることにより、位置検知スイッチ２００の遊技盤２４に対する位置決めが正確になり、位置検知スイッチ２００の遊技盤２４に対する位置ずれが生じることを防止できる。
【００８７】
次に、本実施形態の遊技機１０の作用について説明する。
【００８８】
図９、図１０及び図１３に示すように、支持部材２０８が外枠１２の壁部１２Ａ側（遊技盤２４の外側）に位置している状態、換言すれば、位置決め部２２８の外側側面２２８Ａに第１支持部２４２が接触し、位置決め部２２８の内側側面２２８Ｂに操作部材２３２の幅方向一方側側面２４０Ａが接触し、支持部材２０８の位置決め部２２８が第１支持部２４２と操作部材２３２とで支持（位置決め固定）された状態で、内枠１４を外枠１２に対して閉じようとすると、スイッチ押さえ部材２１６が外枠１２の壁部１２Ａに接触し、スイッチ押さえ部材２１６には外枠１２の壁部１２Ａから所定の押圧力が作用する。そして、外枠１２の壁部１２Ａからスイッチ押さえ部材２１６に作用する押圧力は、内枠１４が外枠１２に対して完全に閉じられたとき（図１３参照）に最大となる。
【００８９】
このとき、外枠１２の壁部１２Ａからスイッチ押さえ部材２１６に押圧力が作用すると、外枠１２の壁部１２Ａからの押圧力が弾性片部２２６の弾性力よりも大きいために、スイッチ押さえ部材２１６は、弾性片部２２６からの弾性力に対抗する形で図１２矢印Ｓ方向側に移動する。これにより、スイッチ押さえ部材２１６は、第２軸部材２１４を中心として、任意の円弧を描くように回転移動していく。
【００９０】
スイッチ押さえ部材２１６が、第２軸部材２１４を中心として任意の円弧を描くように回転移動していくと、弾性片部２２６の長手方向他方側端部２２６Ｂ（自由端）にはスイッチ押さえ部材２１６からの押圧力が作用するため、弾性片部２２６が弾性変形する。このとき、図１２に示すように、弾性片部２２６は、当初、長手方向他方側端部２２６Ｂ（自由端）のみが撓み変形していくが、やがてスイッチ押さえ部材２１６からの押圧力が大きくなると、その押圧力を長手方向他方側端部２２６Ｂ（自由端）のみの撓み変形で吸収することができなくなり、弾性片部２２６全体が弾性変形するようになる。
【００９１】
弾性片部２２６全体が弾性変形するようになると、やがて、スイッチ部材２２０の接触検知部２２４が弾性片部２２６の長手方向一方側端部２２６Ａ近傍の部位に押圧されてスイッチ部本体２２２に押し込まれる。すなわち、弾性片部２２６の自由端である長手方向他方側端部２２６Ｂは固定端である長手方向一方側端部２２６Ａと比較して撓み量が大きくなるが、接触検知部２２４が弾性片部２２６の長手方向一方側端部２２６Ａ（固定端部）近傍の部位に接触可能に設けられているため、弾性片部２２６の長手方向他方側端部２２６Ｂがスイッチ押さえ部材２１６により押圧されて撓み量が大きくなると、やがて接触検知部２２４が弾性片部２２６の長手方向一方側端部２２６Ａ近傍の部位に押圧されて作動する。そして、スイッチ部材２２０の接触検知部２２４がスイッチ部本体２２２に押し込まれると、スイッチ部材２２０は、外枠１２との接触を示す検知信号を通信線２２３を介して主制御基板１０２に対して出力する。主制御基板１０２がスイッチ部材２２０からの検知信号を受信すると、主制御基板１０２は外枠１２を検知する。
【００９２】
一方、内枠１４が外枠１２に対して開放されたとき、あるいは、不正行為などにより内枠１４が外枠１２に対して閉じられている状態で遊技盤２４のみが移動させられたときには、外枠１２の壁部１２Ａからスイッチ押さえ部材２１６に作用する押圧力が低減され、あるいは解除される。このとき、スイッチ押さえ部材２１６から弾性片部２２６の自由端に作用している押圧力も、低減され、あるいは解除される。そして、弾性片部２２６からスイッチ押さえ部材２１６に作用する弾性力が外枠１２の壁部１２Ａからスイッチ押さえ部材２１６に作用する押圧力よりも大きくなると、スイッチ押さえ部材２１６は、外枠１２の壁部１２Ａからスイッチ押さえ部材２１６に作用する押圧力に対抗する形で、図１２矢印Ｓ方向側と反対側に移動する。これにより、スイッチ押さえ部材２１６は、第２軸部材２１４を中心として、任意の円弧を描くように、先程とは逆方向（図１２中矢印Ｓ方向と反対方向）に回転移動していく。
【００９３】
スイッチ押さえ部材２１６が、第２軸部材２１４を中心として任意の円弧を描くように先程とは逆方向（図１２中矢印Ｓ方向と反対方向）に回転移動していくと、弾性片部２２６に作用していた押圧力が小さくなるために、弾性片部２２６の弾性変形（撓み）が解消するようになる。弾性片部２２６の弾性変形（撓み）が解消していくと、弾性片部２２６から接触検知部２２４に作用していた押圧力がコイルばねから接触検知部２２４に作用している弾性力よりも小さくなるために、接触検知部２２４は、外枠１２の壁部１２Ａ側に突出する。これにより、スイッチ部材２２０は、外枠１２との接触を示す検知信号の主制御基板１０２に対する出力を停止する。主制御基板１０２は、検知信号の出力の停止を受けて、遊技盤２４の外枠１２に対する相対位置が変化したと判断する。そして、主制御基板１０２は、サブ制御基板１０６及びアンプ基板１５８を介して、各種スピーカ１６８から所定の警告音が出力されるように制御する。これにより、遊技盤２４に取り付けたスイッチ部材２２０の接触検知部２２４と外枠１２の壁部１２Ａとの接触状態に基づいて、遊技盤２４の位置に異常があるか否かを容易に判別することができ、パチンコ機１０の周囲にいるホール関係者に、遊技盤２４の異常を知らせることができる。特に、内枠１４は外枠１２に対して閉じられているが、遊技盤２４のみが不正行為により動かされる場合についても、遊技盤２４の異常を検知することができる点で、いわゆるゴト行為の対策として効果がある。
【００９４】
なお、遊技盤２４の位置に異常がある場合には、各種スピーカ１６８から所定の警告音が出力される構成に限られるものではなく、例えば、演出表示基板１５６や装飾駆動基板１６０を介して、演出表示装置１６４にエラーを示す表示を出力したり、各種ＬＥＤ・ランプ１７０の発光パターンを特殊なものに変更したりするように制御してもよい。また、遊技盤２４の位置に異常がある場合に、主制御基板１０２は、払出制御基板１０４及び発射制御基板１０８を制御して、遊技球を発射させる発射モータ１７８の駆動を停止するようにしてもよい。
【００９５】
また、パチンコ機１０を別の場所に搬送などする場合には、図１１に示すように、操作部材２３２が待機位置に位置するように、操作部材２３２をスライド溝２３０上をスライド移動させる。このとき、操作部材２３２はリブ２３４にガイドされるようにスライド移動するため、操作部材２３２を幅方向に位置決めするとともにスライド移動を円滑に行うことができる。
【００９６】
操作部材２３２が待機位置に位置すると、図９及び図１４に示すように、支持部材２０８を、第１軸部材２０６を回転中心として図１４矢印Ｔ方向側に回転移動させる。これにより、支持部材２０８は、第１軸部材２０６を回転中心として図１４矢印Ｔ方向側に任意の円弧を描くようにして回転移動する。そして、操作部材２３２が突出位置（図９参照）に位置するように、操作部材２３２をスライド溝２３０上をスライド移動させる。
【００９７】
これにより、支持部材２０８は、位置決め部２２８の内側側面２２８Ｂに第２支持部２４４が接触し、位置決め部２２８の外側側面２２８Ａに操作部材２３２の幅方向他方側側面２４０Ｂが接触し、位置決め部２２８が第２支持部２４４と操作部材２３２とで支持（位置決め固定）された状態となっている。この状態で、支持部材２０８は、外枠１２の壁部１２Ａ側と反対側（遊技盤２４の内側）に安定して位置していることになる。支持部材２０８が外枠１２の壁部１２Ａ側と反対側（遊技盤２４の内側）に位置すると、スイッチ押さえ部材２１６及びスイッチ部材２２０も、外枠１２の壁部１２Ａ側と反対側（遊技盤２４の内側）に引き込まれた状態となる。このため、スイッチ押さえ部材２１６と外枠１２の壁部１２Ａとの接触が回避され、外枠１２の壁部１２Ａからスイッチ押さえ部材２１６に対して押圧力が作用しなくなる。この結果、スイッチ部材２２０の接触検知部２２４には、弾性片部２２６から押圧力が作用しなくなるため、接触検知部２２４がスイッチ部本体２２２に押し込まれることはない。
【００９８】
以上のように、本実施形態のパチンコ機１０によれば、遊技盤２４の外枠１２に対する相対位置の変化は、接触検知部２２４が外枠１２に直接接触する構成ではなく、スイッチ押さえ部材２１６を介して外枠１２を検知する構成であるため、スイッチ押さえ部材２１６の回転移動量の分だけ、スイッチ部材２２０の検知ストロークを増加することができる。また、同時に、弾性片部２２６の弾性変形量（撓み量）が所定量以上になると、接触検知部２２４が弾性片部２２６により押圧されてスイッチ部材２２０が作動する構成であるため、弾性片部２２６の弾性変形量（撓み量）をスイッチ部材２２０の検知ストローク量に加えることができる。この結果、スイッチ部材２２０が遊技盤２４に対して位置ずれした状態でも、スイッチ部材２２０の遊技盤２４に対する位置ずれの悪影響を受けることなく、外枠１２（遊技盤２４の外枠１２に対する相対位置の変化）を確実に検知することができる。換言すれば、スイッチ部材２２０が遊技盤２４に対して位置ずれした状態でも、スイッチ押さえ部材２１６の回転移動量に遊技盤２４の位置ずれ量を吸収させることができるため、スイッチ部材２２０の遊技盤２４に対する位置ずれの悪影響を受けることなく、外枠１２（遊技盤２４の外枠１２に対する相対位置の変化）を確実に検知することができる。
【００９９】
逆に、スイッチ部材２２０の遊技盤２４に対する位置ずれの悪影響を受けることなく、外枠１２（遊技盤２４の外枠１２に対する相対位置の変化）を確実に検知することができるので、スイッチ部材２２０の遊技盤２４に対する高い位置精度が要求されることがない。この結果、スイッチ部材２２０の遊技盤２４に対する取付作業が容易になる。
【０１００】
また特に、スイッチ押さえ部材２１６は、第２軸部材２１４を中心として円弧を描くように回転可能に構成されている。このため、スイッチ押さえ部材２１６が外枠１２から押圧力を受けると、スイッチ押さえ部材２１６は、第２軸部材２１４を回転中心として、円弧を描くように移動する。このように、スイッチ押さえ部材２１６が円弧を描くように回転移動することで、スイッチ部材２２０（接触検知部２２４）を大型化することなく、狭いスペースでスイッチ押さえ部材２１６の移動を確保することができる。
【０１０１】
また、スイッチ押さえ部材２１６とスイッチ部材２２０は単一の支持部材２０８に設けられており、支持部材２０８が第１軸部材２０６を回転中心として遊技盤２４の内側に向かって円弧を描くように回転させることにより、内枠１４が外枠１２に対して閉じた状態でスイッチ押さえ部材２１６と外枠１２との接触を回避させることができる。このように、遊技盤２４を搬送する場合などに、スイッチ押さえ部材２１６と外枠１２との接触を回避させることで、スイッチ押さえ部材２１６と外枠１２との接触が原因となるスイッチ部材２２０の破損や故障を防止することができる。
【０１０２】
また、操作部材２３２が支持部材２０８の移動軌跡上に出没可能となるように設けられており、スイッチ押さえ部材２１６が遊技盤２４の外縁部から外側に突出した状態で、操作部材２３２を操作することにより、位置決め部２２８の外側側面２２８Ａに第１支持部２４２を接触させ、位置決め部２２８の内側側面２２８Ｂに操作部材２３２の幅方向一方側側面２４０Ａを接触させて、支持部材２０８の位置決め部２２８が第１支持部２４２と操作部材２３２とで支持（位置決め固定）された状態にすることが可能になる。これにより、支持部材２０８の位置決め部２２８が第１支持部２４２と操作部材２３２とで支持（位置決め固定）された状態を維持することができる。
【０１０３】
また、スイッチ押さえ部材２１６が遊技盤２４の外縁部から内側に引っ込んだ状態で、操作部材２３２を操作することにより、位置決め部２２８の内側側面２２８Ｂに第２支持部２４４を接触させ、位置決め部２２８の外側側面２２８Ａに操作部材２３２の幅方向他方側側面２４０Ｂを接触させて、支持部材２０８の位置決め部２２８が第２支持部２４４と操作部材２３２とで支持（位置決め固定）された状態にすることが可能になる。これにより、支持部材２０８の位置決め部２２８が第２支持部２４４と操作部材２３２とで支持（位置決め固定）された状態を維持することができる。このように、操作部材２３２を操作するだけで、支持部材２０８を適切な位置に常に配置（待機）させておくことができる。この結果、支持部材２０８上に設けられているスイッチ押さえ部材２１６も適切な位置に配置（待機）させることができ、かつその位置を維持させることができる。なお、操作部材２３２はリブ２３４により幅方向に位置決めされているので、操作部材２３２のスライド移動（スライド操作）をより円滑にすることができる。
【０１０４】
特に、操作部材２３２の先端部には傾斜部２４０が形成されているため、操作部材２３２を操作すると、操作部材２３２の先端部が位置決め部２２８の内側側面２２８Ｂの左側に進入してくるため、支持部材２０８が操作部材２３２の先端部により遊技盤２４の外側（右側、外枠１２側）に容易に押し出される。また、同様にして、操作部材２３２の先端部が位置決め部２２８の外側側面２２８Ａの右側に進入してくるため、支持部材２０８が操作部材２３２の先端部により遊技盤２４の内側（左側、外枠１２側と反対側）に容易に押し出される。このように、操作部材２３２の先端部を傾斜部２４０とすることにより、支持部材２０８の移動を円滑にさせることができる。
【０１０５】
なお、上記実施形態では、操作部材２３２は第３軸部材２３８を緩めることによりスライド可能となる構成であるが、図１７に示すように、第３軸部材２３８を設けない構成でもよい。この構成では、操作部材２３２がスライド溝２３０上をスライドして、操作部材２３２の傾斜部２４０の幅方向側面２４０Ａ（２４０Ｂ）により支持部材２０８を固定することができる。この構成では、第３軸部材２３８が不要となるので部品点数を削減することができる。なお、操作部材２３２のスライド溝２３０に対する位置ずれが問題になるが、操作部材２３２のスライド溝２３０に対する摩擦力が任意の値以上となるように設定することにより、操作部材２３２がスライド溝２３０に対して不意にスライドしてしまうことを防止できる。
【０１０６】
また、図１８に示すように、第３軸部材２３８を設けない構成で、かつ操作部材２３２の幅方向側面に第１鋸歯部２５０を形成し、リブ２３４の操作部材２３２の幅方向側面に対向する側面に第２鋸歯部２５２を形成し、両者が係合するように構成してもよい。この構成では、操作部材２３２がスライド溝２３０上をスライドする際に、第１鋸歯部２５０と第２鋸歯部２５２が１ピッチごとに噛み合うことになる。このため、ユーザが操作部材２３２を手でスライドさせると、第１鋸歯部２５０と第２鋸歯部２５２が噛み合う音が聞こえるとともに、第１鋸歯部２５０と第２鋸歯部２５２が噛み合うときの僅かな衝撃が手に伝わり、ユーザに操作感覚を与えることになる。また、操作部材２３２が位置決めされる停止位置が増加するため、操作部材２３２のスライド溝２３０に対する位置自由度を高めることができる。この結果、操作部材２３２のスライド溝２３０に対する位置を微調整することができる。このように、第３軸部材２３８が不要となるので部品点数を削減することができるという効果と同時に、操作部材２３２のスライド溝２３０に対する位置決めを強固にすることができる。
【０１０７】
さらに、上記実施形態では、操作部材２３２が設けられた構成について説明したが、操作部材２３２に替えて第３軸部材２３８をベース部材２０２に対して着脱自在に設けるようにしてもよい。すなわち、図１９に示すように、ベース部材２０２の支持部材２０８を固定できる部位にビス穴（図示省略）を形成し、このビス穴に第３軸部材２３８を固定することが好ましい。この構成では、支持部材２０８を内側に退避させたい場合には、第３軸部材２３８をビス穴から取り外すことにより、支持部材２０８の退避時において第３軸部材２３８が邪魔になる（干渉する）ことはない。そして、支持部材２０８を退避させた後で、再び、第３軸部材２３８をビス穴に固定する。これにより、支持部材２０８を第３軸部材２３８で位置決め固定することができる。
【図面の簡単な説明】
【０１０８】
【図１】本発明の第１実施形態に係る遊技機の外枠の一側に内枠が開かれさらにその内枠の一側に前面枠が開かれた状態を前方側から見た斜視図である。
【図２】本発明の第１実施形態に係る遊技機を構成する内枠と遊技盤とが分離した状態を示した斜視図である。
【図３】本発明の第１実施形態に係る遊技機の外枠の一側に内枠（前面枠が閉じられた内枠）が開かれた状態を後方側から見た斜視図である。
【図４】本発明の第１実施形態に係る遊技機の遊技盤の正面図である。
【図５】本発明の第１実施形態に係る遊技機の電子制御装置の主要部の構成を示すブロック図である。
【図６】本発明の第１実施形態に係る遊技機の電子制御装置を構成するサブ制御基板を説明するための説明図である。
【図７】本発明の第１実施形態に係る遊技機の電子制御装置における電力の供給の流れを説明するための説明図である。
【図８】本発明の第１実施形態に係る遊技機の電子制御装置を構成する発射制御基板を説明するための説明図である。
【図９】本発明の第１実施形態に係る遊技機の遊技盤に取り付けられる位置検知手段の構成図である。
【図１０】本発明の第１実施形態に係る遊技機の遊技盤に取り付けられる位置検知手段を構成する接触移動部材が外枠側に配置された状態を示す状態図である。
【図１１】図１０の状態から操作部材を待機位置に移動させた状態図である。
【図１２】本発明の第１実施形態に係る遊技機の遊技盤に取り付けられる位置検知手段を構成する接触移動部材の作動図である。
【図１３】本発明の第１実施形態に係る遊技機の遊技盤に取り付けられる位置検知手段を構成する接触移動部材が外枠側に配置され、その接触移動部材に外枠の壁部から押圧力が作用された状態を示す状態図である。
【図１４】本発明の第１実施形態に係る遊技機の遊技盤に取り付けられる位置検知手段を構成する接触移動部材が遊技盤内側（外枠側と反対側）に配置され、接触移動部材と外枠の壁部との接触が回避された状態を示す状態図である。
【図１５】本発明の第１実施形態に係る遊技機の遊技盤に取り付けられている位置検知手段の取付位置を変更した構成について前方から見た斜視図である。
【図１６】本発明の第１実施形態に係る遊技機の遊技盤に取り付けられている位置検知手段の取付位置を変更した構成について後方から見た斜視図である。
【図１７】本発明の第１実施形態に係る遊技機の遊技盤に取り付けられている位置検知手段の変形例を用いて接触移動部材が外枠側に配置された状態で位置決め固定された状態図である。
【図１８】本発明の第１実施形態に係る遊技機の遊技盤に取り付けられている位置検知手段の変形例を用いて接触移動部材が外枠側に配置された状態で位置決め固定された状態図である。
【図１９】本発明の第１実施形態に係る遊技機の遊技盤に取り付けられている位置検知手段の変形例を用いて接触移動部材が外枠側に配置された状態で位置決め固定された状態図である。
【符号の説明】
【０１０９】
１０        パチンコ機（遊技機）
１２        外枠
１４        内枠
２４        遊技盤
２８        遊技領域
２００      位置検知スイッチ（位置検知手段）
２０８      支持部材
２１６      スイッチ押さえ部材（接触移動部材）
２２０      スイッチ部材（検知部材）
２２４      接触検知部（スイッチ部本体）
２２６      弾性片部
２３２      操作部材
【図１】
2008183249.tif 000003
【図２】
2008183249.tif 000004
【図３】
2008183249.tif 000005
【図４】
2008183249.tif 000006
【図５】
2008183249.tif 000007
【図６】
2008183249.tif 000008
【図７】
2008183249.tif 000009
【図８】
2008183249.tif 000010
【図９】
2008183249.tif 000011
【図１０】
2008183249.tif 000012
【図１１】
2008183249.tif 000013
【図１２】
2008183249.tif 000014
【図１３】
2008183249.tif 000015
【図１４】
2008183249.tif 000016
【図１５】
2008183249.tif 000017
【図１６】
2008183249.tif 000018
【図１７】
2008183249.tif 000019
【図１８】
2008183249.tif 000020
【図１９】
2008183249.tif 000021